(57)【特許請求の範囲】
【請求項１】
扉の一方側に設けられる第一ハンドル本体と、
扉の他方側に設けられる第二ハンドル本体と、
上下に離隔して配置されると共に、扉の厚さ方向に設けられ、一端部が前記第一ハンドル本体に取り付けられる一方、他端部が前記第二ハンドル本体に取り付けられ、前記第一ハンドル本体の押し操作または前記第二ハンドル本体の引き操作に連動する連結部材と、
前記第一ハンドル本体を扉から離隔する方向へ付勢すると共に、前記第二ハンドル本体を扉側へ付勢する付勢手段と、
扉の一方側において、上下に離隔して配置されると共に、扉または扉に固定される座に回転自在に保持され、前記いずれかのハンドル本体の操作に伴って可動する作動部材と、
前記作動部材に上下両端部が回転自在に取り付けられる縦材部、およびこの縦材部の中途部に設けられ、扉錠の錠ケースへ差し込まれる横材部を有し、前記作動部材に連動して、ラッチボルトを後退させるか、後退可能状態に切替える操作部材とを備え、
前記第一ハンドル本体には、前記第二ハンドル本体側へ移動する際に、前記作動部材を前記第二ハンドル本体側へ押し込む押込み部が設けられており、
前記作動部材には、前記連結部材が通される穴または切欠きが形成されている
ことを特徴とする扉錠用ハンドル装置。
【請求項２】
前記第一ハンドル本体には、前記連結部材の一端部が差し込まれて固定される筒状部が設けられており、この筒状部が前記押込み部とされる
ことを特徴とする請求項１に記載の扉錠用ハンドル装置。
【発明の詳細な説明】
【技術分野】
【０００１】
本発明は、ラッチボルトを有する扉錠用のハンドル装置に関するものである。
【背景技術】
【０００２】
周知のとおり、扉には、ラッチ錠や電気錠などの各種扉錠が設けられている。ラッチボルトを有する扉錠の場合、そのラッチボルトを後退させる、または後退可能状態とするために、各種のハンドル装置が用いられており、たとえば、下記特許文献１に開示されるように、プッシュ・プル式のハンドル装置が使用されている。
【０００３】
このプッシュ・プル式のハンドル装置は、特許文献１の図１において示されるように、扉の室内側および室外側にそれぞれ座（台座枠２７、枠体部５１）が固定されており、この各座にハンドルが設けられている。そして、ハンドルを押すまたは引くことでラッチボルトを後退させることが可能となり、開扉の操作が容易である。
【先行技術文献】
【特許文献】
【０００４】
【特許文献１】特開平１１−３２４４１８号公報
【発明の概要】
【発明が解決しようとする課題】
【０００５】
しかしながら、上記特許文献１に記載の発明の場合、ハンドルの操作をラッチ機構１１に伝達する構造が複雑であり、高コストとなり、かつ、組み立てに時間を要した。
【０００６】
本発明が解決しようとする課題は、ハンドルの操作をラッチ機構に伝達する構造を簡易なものとし、これにより低コストで容易に製造できるハンドル装置を提供することにある。
【課題を解決するための手段】
【０００７】
本発明は、前記課題を解決するためになされたもので、請求項１に記載の発明は、扉の一方側に設けられる第一ハンドル本体と、扉の他方側に設けられる第二ハンドル本体と、上下に離隔して配置されると共に、扉の厚さ方向に設けられ、一端部が前記第一ハンドル本体に取り付けられる一方、他端部が前記第二ハンドル本体に取り付けられ、前記第一ハンドル本体の押し操作または前記第二ハンドル本体の引き操作に連動する連結部材と、前記第一ハンドル本体を扉から離隔する方向へ付勢すると共に、前記第二ハンドル本体を扉側へ付勢する付勢手段と、扉の一方側において、上下に離隔して配置されると共に、扉または扉に固定される座に回転自在に保持され、前記いずれかのハンドル本体の操作に伴って可動する作動部材と、前記作動部材に上下両端部が回転自在に取り付けられる縦材部、およびこの縦材部の中途部に設けられ、扉錠の錠ケースへ差し込まれる横材部を有し、前記作動部材に連動して、ラッチボルトを後退させるか、後退可能状態に切替える操作部材とを備え、前記第一ハンドル本体には、前記第二ハンドル本体側へ移動する際に、前記作動部材を前記第二ハンドル本体側へ押し込む押込み部が設けられており、前記作動部材には、前記連結部材が通される穴または切欠きが形成されていることを特徴とする扉錠用ハンドル装置である。
【０００８】
第一ハンドル本体は、室内側ハンドル本体または室外側ハンドル本体の一方とされ、第二ハンドル本体は、室内側ハンドル本体または室外側ハンドル本体の他方とされる。
【０００９】
さらに、請求項２に記載の発明は、前記第一ハンドル本体には、前記連結部材の一端部が差し込まれて固定される筒状部が設けられており、この筒状部が前記押込み部とされることを特徴とする請求項１に記載の扉錠用ハンドル装置である。
【発明の効果】
【００１０】
本発明によれば、ハンドルの操作をラッチ機構に伝達する構造を簡易なものとし、これにより低コストで容易に製造できるハンドル装置を提供できる。
【図面の簡単な説明】
【００１１】
【図１】本発明のハンドル装置の一実施例を示す図であり、扉に取り付けられた状態を室外側から見た正面図である。
【図２】図１におけるラッチ錠を正面から見た概略縦断面図である。
【図３】図２のラッチ錠のラッチボルトを示す斜視図である。
【図４】図１のハンドル装置を戸先側から見た縦断面図である。
【図５】図４のＡ−Ａ部拡大図である。
【図６】図４のＢ−Ｂ断面図である。
【図７】図１のハンドル装置の概略斜視図である。
【図８】図１のハンドル装置の要部を示す分解斜視図である。
【図９】図４の状態からハンドル本体を操作した状態を示す図である。
【図１０】図９のＣ−Ｃ部拡大図である。
【図１１】図９のＤ−Ｄ断面図である。
【発明を実施するための形態】
【００１２】
以下、本発明のハンドル装置の実施例について図面に基づいて具体的に説明する。
ここでは、本発明のハンドル装置がたとえば玄関扉に適用される場合について説明する。なお、以下の説明においては、扉が閉鎖した状態において室内外方向を前後方向とし、扉の幅方向を左右方向とする。
【００１３】
図１は、本発明のハンドル装置の一実施例を示す図であり、扉に取り付けられた状態を室外側から見た正面図である。
図２は、図１におけるラッチ錠を正面から見た概略縦断面図であり、図３は、そのラッチボルトを示す斜視図である。
【００１４】
本実施例のハンドル装置１は、ラッチ錠２が設けられる扉３に適用される。本実施例のハンドル装置１が取り付けられる扉３は、略矩形状の扉枠４の一側端部に、ヒンジ５を介して回動可能に取り付けられた開き戸形式とされ、室外側（図１において手前側）へ開く外開き扉とされる。
【００１５】
また、本実施例のラッチ錠２は、いわゆる反転式のラッチ錠とされ、扉３の戸先側端部に内蔵される錠ケース６と、この錠ケース６に設けられ、錠ケース６の戸先側端面の取付板７から出没可能なラッチボルト８と、このラッチボルト８の反転を阻止する上下一対のロッキングピース１９，１９とを主要部に備える。
【００１６】
錠ケース６は、矩形箱状とされ、扉３の戸先側端部の上下方向略中央部に取り付けられる。具体的には、図２に示すように、錠ケース６は、扉３に埋め込まれると共に、錠ケース６の戸先側端面の取付板７に矩形板状のフロント板９が重ね合わされる。そして、フロント板９および取付板７を介して扉３の戸先側端部に取付ネジ１０がねじ込まれて、錠ケース６が扉３に固定される。
【００１７】
錠ケース６の戸先側端面の取付板７およびフロント板９には、ラッチボルト８が通される貫通穴１１，１２がそれぞれ形成されている。
【００１８】
ラッチボルト８は、平面視略菱形とされ、錠ケース６から三角形状に突出して、扉枠４の戸先側縦枠４ａに設けられた受座１３の受穴１３ａに突入する（図６）。ラッチボルト８が受座１３の受穴１３ａに突入した状態では、閉扉方向の面が室内側へ行くに従って吊元側へ傾斜する傾斜面とされ、開扉方向の面が左右方向に沿う直線状の係合面とされる。
【００１９】
図２および図３に示すように、ラッチボルト８の基端部には、上下に対称的に、突出部１４，１４が一体形成されている。各突出部１４には、左右方向に沿って係合溝１４ａがそれぞれ形成されている。また、ラッチボルト８の基端部の上下方向中央には、傾斜した嵌合凹部１５が形成されており、ラッチバネ１７の一端部が円筒材１６を介してはめ込まれている。
【００２０】
錠ケース６には、戸先側端面の取付板７の貫通穴１１を臨むように、断面コ字形のバネ受１８が設けられ、このバネ受１８とラッチボルト８の嵌合凹部１５との間にラッチバネ１７が設けられている。このラッチバネ１７によって、ラッチボルト８は、その先端部が、常時、錠ケース６の戸先側端面の取付板７の貫通穴１１から突出するように付勢されている。そして、この付勢力に対抗して、ラッチボルト８は錠ケース６側へ後退可能とされている。
【００２１】
錠ケース６内には、ラッチボルト８が受座１３の受穴１３ａに突入した扉３の閉鎖状態において、ラッチボルト８の反転を阻止するための上下一対のロッキングピース１９，１９が、ラッチボルト８を挟んだ状態で設けられている。各ロッキングピース１９は、その略中央部が、錠ケース６の前後壁面間に枢軸２０で揺動自在にそれぞれ枢支されている。さらに、各ロッキングピース１９の先端部には、係合片２１，２１が対向するように突出して形成されている。また、枢軸２０には、ねじりコイルバネ２２がそれぞれ設けられており、係合片２１がラッチボルト８の係合溝１４ａに常時係合するようにロッキングピース１９を付勢している。この係合状態時にはラッチボルト８は反転が阻止される。
【００２２】
また、各ロッキングピース１９の略中央部には、連結片２３，２３が互いに対向するように突出して形成されており、両連結片２３，２３同士は連結ピン２４により連動して回動可能に連結されている。
【００２３】
各ロッキングピース１９の基端部には基端側へ延出して係合部２５がそれぞれ形成されている。この係合部２５は、後述する操作部材によって上下動するスライダー２６（第一スライダー２７、第二スライダー２８）の一部に当接している。
【００２４】
本実施例では、第一スライダー２７を下動させることで、各ロッキングピース１９が揺動し、また、第二スライダー２８を上動させることで、各ロッキングピース１９を揺動させるよう構成されている。つまり、一方のロッキングピース１９を、その係合片２１が、ラッチボルト８の係合溝１４ａとの係合を解除する方向に揺動することにより、連結ピン２４を介して他方のロッキングピース１９も連動して揺動し、その係合片２１もラッチボルト８の他方の係合溝１４ａから離脱される。このように各ロッキングピース１９の係合片２１が、ラッチボルト８の係合溝１４ａから離脱した状態では、ラッチボルト８の反転が許容され、ラッチボルト８は、開扉時に、扉の開放方向への力により扉枠４の戸先側縦枠４ａに設けられた受座１３に当接することで反転すると共に、錠ケース６内に後退可能な状態となる。
【００２５】
図１に示すように、閉扉され、ラッチボルト８が扉枠４の戸先側縦枠４ａに設けられた受座１３の受穴１３ａに突入し（図６）、ロッキングピース１９がラッチボルト８と係合してラッチボルト８の反転が阻止されることで、扉３の閉鎖状態が維持される。
【００２６】
図４は、図１のハンドル装置を戸先側から見た縦断面図である。
図５は、図４のＡ−Ａ部拡大図であり、図６は、図４のＢ−Ｂ断面図である。
図７は、図１のハンドル装置の概略斜視図である。
図８は、図１のハンドル装置の要部を示す分解斜視図である。
【００２７】
本実施例のハンドル装置１は、扉３の室外側面に固定される座３１と、扉３の室外側に設けられるハンドル本体３３と、扉３の室内側面に固定される座３５と、扉３の室内側に設けられるハンドル本体３７と、各ハンドル本体３３，３７同士を連結する連結部材３９と、室内側の座３５に回転自在に保持される作動部材４１と、この作動部材４１に回転自在に取り付けられ、作動部材４１が回転することで移動して、ラッチボルト８を後退可能状態とする操作部材４３とを主要部に備える。
【００２８】
室外側の座３１は、室内側へ開口する浅い長方形状の箱状とされ、その上下端部には、室内側へ凹んで、室外側へ開口する矩形状の凹部４５，４５が形成されている。
各凹部４５には、室内側へ突出して円筒状部４７が設けられている。
また、各凹部４５には、円筒状部４７の内穴に連通する円形の貫通穴４５ａが前後方向に沿って形成されており、この貫通穴４５ａは、円筒状部４７の内穴より小径とされる。
【００２９】
室内側の座３５は、室内側へ開口する長方形状の箱状とされ、その上下端部には、室外側へ突出して矩形状の収容部４９，４９が形成されている。
また、各収容部４９には、前後方向に沿って貫通穴４９ａが形成されている。
【００３０】
各座３１，３５は、扉３の室外側面および室内側面に当接されて配置され、室外側の座３１に室内側へ向けて立設された取付柱５１に、室内側の座３５からネジ５２がねじ込まれて、それぞれ扉３に固定される。また、図示例では、室外側の座３１に、上下に離隔して立設される柱材５４，５４が、錠ケース６を挟み込んで配置される。
【００３１】
本実施例では、室内側の座３５の各収容部４９は、扉３の室内側面に形成された穴にはめ込まれている。また、室外側の座３１の円筒状部４７は、扉３の室外側面に形成された穴に差し込まれている。
【００３２】
室外側のハンドル本体３３は、略円柱形状とされ、その軸線を上下に配置して設けられる。室外側のハンドル本体３３には、室内側へ突出する矩形状の脚部５３，５３が、上下に離隔して２つ形成されている。
【００３３】
室内側のハンドル本体３７は、略矩形板状とされ、上下方向外側へ行くに従って、前後の厚みが小さくなるよう形成されている。
室内側のハンドル本体３７の上下方向中央部には、室外側へ開口する凹部５５が形成されている。また、この凹部５５には、上下に離隔して、室外側へ突出する筒状の押込み部５７，５７が２つ形成されている。なお、押込み部５７の室外側端部は、室外側へ突出する円弧状に形成されている。
【００３４】
連結部材３９は、丸棒状とされ、その軸線を前後方向に沿うように配置される。
また、本実施例では、連結部材３９は、図６および図８に示すように、先端側へ行くにしたがって順次左右寸法が小さくなるよう形成されている。具体的には、連結部材３９は、その軸方向中央部３９ａの左右両端部が軸方向に切り欠かれて平坦面とされて、基端部３９ｂより左右寸法が小さく形成され、さらに先端部３９ｃの左右両端部も軸方向に切り欠かれて平坦面とされて、中央部３９ａより左右寸法が小さく形成されている。
【００３５】
連結部材３９の基端部には、上下方向に矩形状に突出して取付部５９が形成されている。連結部材３９は、その取付部５９が、室外側のハンドル本体３３の各脚部５３にそれぞれ重ね合わされて、ネジ６１により脚部５３に固定される。
【００３６】
室外側のハンドル本体３３に固定された連結部材３９は、室外側の座３１の貫通穴４５ａおよび円筒状部４７に通されて配置され、扉３を貫通して設けられる。また、室外側のハンドル本体３３の各脚部５３は、座３１の凹部４５にそれぞれ差し込まれて配置される。図示例では、座３１の凹部４５内にシート状の緩衝材６２が貼着されており、連結部材３９は、この緩衝材６２にも通されている。
【００３７】
室外側の座３１の貫通穴４５ａおよび円筒状部４７に差し込まれた連結部材３９には、ガイド材６５、コイルバネ６７およびストッパー６９が通されて設けられる。
【００３８】
ガイド材６５は、円筒状とされ、その軸方向中央部には、径方向外側へ突出して鍔部６５ａが形成されている。ガイド材６５は、座３１の貫通穴４５ａに対応した径とされ、鍔部６５ａの外径は、座３１の円筒状部４７の内径に対応している。ガイド材６５は、連結部材３９に通されて、座３１の円筒状部４７内に配置され、その室外側端部が室外側の座３１の貫通穴４５ａにはめ込まれて設けられる。
【００３９】
ストッパー６９は、断面矩形状のブロック体とされ、室外側の座３１の円筒状部４７の内穴より大きい寸法とされる。ストッパー６９には、前後方向に沿って略矩形状の貫通穴７１が形成されており、この貫通穴７１は、連結部材３９の中央部３９ａに対応している。また、ストッパー６９の室内側端部６９ａおよび室外側端部６９ｂは、前後方向中央部６９ｃより小形な矩形状に形成されている。
【００４０】
ストッパー６９は、連結部材３９に通されて連結部材３９の中央部３９ａに配置され、外周面からネジ７３が連結部材３９へねじ込まれて、連結部材３９に固定される。本実施例では、ストッパー６９が、室外側の座３１の円筒状部４７に当接することで、室外側のハンドル本体３３は、室外側への所定以上の移動が規制される。
【００４１】
連結部材３９に通されたコイルバネ６７は、その室外側端部が、ガイド材６５の室内側端部にはめ込まれ、ガイド材６５の鍔部６５ａに当接して設けられる一方、その室内側端部が、ストッパー６９の室外側端部６９ｂにはめ込まれると共に、ストッパー６９の中央部６９ｃに当接して設けられる。
コイルバネ６７により、ストッパー６９は室内側へ付勢され、これにより連結部材３９および室外側のハンドル本体３３も室内側へ付勢される。
【００４２】
なお、図示例では、ストッパー６９の室外側端部６９ｂには、シート状の防音ゴム７５が通されて設けられており、コイルバネ６７の室内側端部は、防音ゴム７５に当接されている。
【００４３】
連結部材３９は、その先端部３９ｃが室内側の座３５の貫通穴４９ａに通され、さらに後述する作動部材４１の貫通穴８１ａに通された状態で、室内側のハンドル本体３７の押込み部５７の内穴にはめ込まれる。そして、押込み部５７の外周面からネジ７７が連結部材３９にねじ込まれて室内側のハンドル本体３７に連結部材３９が固定される。
【００４４】
室外側のハンドル本体３３と室内側のハンドル本体３７が、連結部材３９により連結されることで、室内側のハンドル本体３７と、室外側のハンドル本体３３は、前後方向に一体に移動する。
また、本実施例では、室内側のハンドル本体３７は、凹部５５より外側に形成された溝７９に、室内側の座３５の室内側端部が差し込まれて、座３５の一部を覆うように配置される。
【００４５】
作動部材４１は、図８に示すように、矩形板状の第一片８１と、この第一片８１の戸先側端部から室内側へ延出する第二片８３と、この第二片８３の上端部から吊元側へ延出する第三片８５と、この第三片８５の吊元側端部から上方へ突出すると共に室内側へ突出する矩形板状の取付片８７とを有する。
【００４６】
作動部材４１は、室内側の座３５の収容部４９，４９内にそれぞれ配置され、取付片８７の室外側端部に、左右方向に沿ってピン８９が通されて、ピン８９を軸として回転可能に座３５に保持される。ピン８９は、その両端部が座３５に保持される。
また、作動部材４１の第一片８１には、矩形状の貫通穴８１ａが形成されており、連結部材３９の先端部３９ｃが通される。
【００４７】
操作部材４３は、上下に離隔して配置された作動部材４１，４１同士をかけ渡すように設けられる長方形の板状の縦材部９１と、この縦材部９１の中途部から室外側へ突出する板状の横材部９３とを有する。
本実施例では、縦材部９１および横材部９３は、板材により一体に形成されている。
【００４８】
操作部材４３は、縦材部９１の上下端部が、それぞれ作動部材４１の取付片８７の室内側端部に重ね合わされ、左右方向に沿ってピン９５がはめ込まれ、このピン９５を軸として作動部材４１に回転可能に保持される。
【００４９】
操作部材４３の横材部９３は、図２および図７に示すように、錠ケース６の穴６ａを介して第一スライダー２７と第二スライダー２８の間に差し込まれている。
【００５０】
このように扉３に組み付けられたハンドル装置１は、室外側および室内側のハンドル本体３３，３７および連結部材３９がコイルバネ６７により室内側へ付勢されている。
これにより、各ハンドル本体３３，３７が操作されていない初期状態では、各ハンドル本体３３，３７および連結部材３９は、室内側へ押し込まれた状態で配置されている。
また、作動部材４１の第一片８１は、連結部材３９により、室内側へ押し込まれて配置されている。具体的には、作動部材４１は、連結部材３９が通された第一片８１が、連結部材３９の先端部３９ｃと中央部３９ａとの段部（境界部）に当接して室内側へ押し込まれていると共に、第一片８１は、室内側のハンドル本体３７の押込み部５７に当接している。さらに、作動部材４１の取付片８７に取り付けられた操作部材４３は、上方位置に配置されている。
【００５１】
本実施例では、操作部材４３によりラッチ錠２が操作され、この操作部材４３を上下動させるリンク機構が、連結部材３９および作動部材４１により構成されている。
【００５２】
図９は、図４の状態からいずれかのハンドル本体を操作した状態を示す図である。
また、図１０は、図９のＣ−Ｃ部拡大図であり、図１１は、図９のＤ−Ｄ断面図である。
【００５３】
扉３が閉鎖され、ラッチ錠２のラッチボルト８が受座１３の受穴１３ａに突入した状態から扉３を開ける場合、室外側のハンドル本体３３を把持して引く、または室内側のハンドル本体３７を押せばよい。室外側のハンドル本体３３の引き操作、または室内側のハンドル本体３７の押し操作により、連結部材３９により連結された各ハンドル本体３３，３７は、室外側へ一体に平行移動する。
【００５４】
室内側のハンドル本体３７が、室外側へ移動することで、室内側のハンドル本体３７の押込み部５７が、作動部材４１の第一片８１を室外側へ押し込む。これにより、作動部材４１は、ピン８９を中心として、図４および図５において反時計方向に回転して、図９および図１０の状態となる。
作動部材４１が反時計方向に回転することで、作動部材４１の取付片８７に取り付けられた操作部材４３の縦材部９１は、下方へ移動する。
縦材部９１が下方へ移動することで、横材部９３も下方へ移動し、錠ケース６内の第一スライダー２７を下方へ押し下げる。
【００５５】
図２において、第一スライダー２７が下方へ移動することで、ロッキングピース１９，１９が揺動してラッチボルト８と係合片２１との係合が解除される。これにより、ラッチボルト８は、後退可能状態つまり開扉方向へ作用する力により受座１３に当接することで反転すると共に、錠ケース６内へ後退可能な状態となる。
【００５６】
このように係合が解除された状態で、ハンドル本体３３，３７をさらに引くまたは押すことで、ラッチボルト８が受座１３に当接して反転し、さらにラッチボルト８が受座１３により吊元側へ押し込まれて錠ケース６内へ後退し開扉が可能とされる。
【００５７】
開扉後、ハンドル本体３３，３７から手を放すと、バネ６７の付勢力により各ハンドル本体３３，３７が室内側へ移動すると共に、連結部材３９が室内側へ移動する。連結部材３９が室内側へ移動することで、連結部材３９の段部により作動部材４１が室内側へ押し込まれ、ピン８９を軸として、図９および図１０において時計方向へ回転する。これにより、操作部材４３が上方へ移動し、各部材が初期位置に戻る。
【００５８】
本実施例では、ハンドル本体３３，３７の操作をラッチ錠２に伝達する作動部材４１や操作部材４３が、室内側の座３５内に収容されることで、室外側の座３１を小さくすることができる。具体的には、室外側の座３１の左右寸法および扉面（室外側面）からの突出量を小さくすることができ、全体として極めてコンパクトで見栄えのよい意匠性に優れた製品とすることができる。また、本実施例では、各ハンドル本体３３，３７の操作をラッチ錠２へ伝達する機構が簡易であり、扉３への取り付けも容易とされる。
【００５９】
本発明のハンドル装置は、上記実施例の構成に限らず、適宜変更可能である。
たとえば、上記実施例では、ラッチ錠としていわゆる反転式のラッチ錠を用いたが、反転しない構造で、かつ操作部材の横材部の移動に伴って、ラッチボルトを直接的に後退させる構造のものを使用してもよい。
また、上記実施例では、室外側の座３１を小さくする構成としたが、室内側の座３５を小さくするようにしても構わない。すなわち、上記実施例において、室内側と室外側を逆にしても構わない。
【００６０】
また、上記実施例では、作動部材４１の第一片８１に、連結部材３９が通される貫通穴８１ａが形成されたが、切込みとしてもよい。
また、上記実施例では、操作部材４３は、縦材部９１と横材部９３が板材により一体に形成されたが、別体として、横材部を縦材部に固定しても構わない。すなわち、縦材部と横材部が一体に移動する構成であればよい。
【００６１】
さらに、上記実施例では、連結部材３９に通されたコイルバネ６７により連結部材３９および各ハンドル本体３３，３７を室内側へ付勢したが、コイルバネ６７に替えて、たとえばピン８９にねじりコイルバネを通し、このねじりコイルバネにより連結部材３９および各ハンドル本体３３，３７を室内側へ付勢してもよい。この際、ねじりコイルバネの一端部を座３５の収容部４９の内面に当接させる一方、他端部を作動部材４１の第一片８１に当接させて、作動部材４１を図４において、ピン８９を軸として時計方向へ付勢すればよい。これにより第一片８１が押込み部５７を室内側へ押圧し、各ハンドル本体３３，３７および連結部材３９が室内側へ付勢される。
【符号の説明】
【００６２】
１    ハンドル装置
２    ラッチ錠
３    扉
６    錠ケース
８    ラッチボルト
３３    ハンドル本体
３７    ハンドル本体
３９    連結部材
４１    作動部材
４３    操作部材
５７    押込み部
【図１】
0005944676.tif 000002
【図２】
0005944676.tif 000003
【図３】
0005944676.tif 000004
【図４】
0005944676.tif 000005
【図５】
0005944676.tif 000006
【図６】
0005944676.tif 000007
【図７】
0005944676.tif 000008
【図８】
0005944676.tif 000009
【図９】
0005944676.tif 000010
【図１０】
0005944676.tif 000011
【図１１】
0005944676.tif 000012